(57)【要約】【課題】  軽量な小物をメッセージとともにより手軽に郵便等で送るのに適した箱型容器を提供すること。【解決手段】  この箱型容器１は、正面パネル１１と、背面パネル１２と、頂面パネル１３と、底面パネル１４と、両側面パネル１５，１６とを有し、頂面パネル１３または底面パネル１４において開閉可能とされた、正面視矩形であって所定の厚みを有する箱型容器本体１０と、正面パネル１１の一側縁において回動可能に連結され、正面パネル１１上に重ねられた状態で保持可能なメッセージパネル２０とを備える。【選択図】  図１
2006001646.tif 000002
【特許請求の範囲】
【請求項１】
正面パネルと、背面パネルと、頂面パネルと、底面パネルと、両側面パネルとを有し、頂面パネルまたは底面パネルにおいて開閉可能とされた、正面視矩形であって所定の厚みを有する箱型容器本体と、正面パネルの一側縁において回動可能に連結され、正面パネル上に重ねられた状態で保持可能なメッセージパネルとを備えることを特徴とする、箱型容器。
【請求項２】
上記メッセージパネルの表面側、または、上記背面パネルの表面には、宛て先表記欄が設けられているとともに、上記メッセージパネルの裏面側、および／または、上記正面パネルの表面には、メッセージ欄が設けられている、請求項１に記載の箱型容器。
【請求項３】
上記メッセージパネルは、上記正面パネルと同形であり、その頂部辺、側部辺および底部辺には、それぞれ、山折り状に連結された糊付け片が形成されており、上記各糊付け片を、それぞれ上記箱型容器本体の上記頂面パネル、一方の側面パネル、および底面パネルに重ねて糊付けすることにより、上記正面パネル上に重ねられた状態で保持される、請求項１または２に記載の箱型容器。
【請求項４】
上記メッセージパネルの上記各糊付け片の裏面側には、離型紙で覆われた粘着層が設けられている、請求項３に記載の箱型容器。
【請求項５】
上記メッセージパネルの上記各糊付け片との境界部には、ミシン目が設けられている、請求項３または４に記載の箱型容器。
【請求項６】
上記各糊付け片における、上記ミシン目と上記粘着層との間には、追加のミシン目が設けられている、請求項５に記載の箱型容器。
【請求項７】
上記頂面パネル、底面パネルおよび一方の側面パネルにおける、上記正面パネルとの境界部、および／または、上記背面パネルとの境界部には、ミシン目が設けられている、請求項５または６に記載の箱型容器。
【請求項８】
上記箱型容器本体の上記頂面パネル、両側面パネル、および底面パネルの内周面にそれぞれ沿い、かつ上記頂面パネル、両側面パネル、および底面パネルの幅に対応する所定の厚みを有する外枠部を備え、上記箱型容器本体の内部に収容可能な合成樹脂製の内装フレームをさらに備える、請求項１ないし７のいずれかに記載の箱型容器。
【請求項９】
上記内装フレームは、上記外枠部の厚み方向の一端側に偏倚する位置に連結された底板部を有する、請求項８に記載の箱型容器。
【請求項１０】
上記底板部は、複数の開口部を有するメッシュ状に形成されている、請求項９に記載の箱型容器。
【発明の詳細な説明】
【技術分野】
【０００１】
本願発明は、郵送可能な箱型容器に関し、より詳しくは、メッセージを添えて簡易に所望の内容物を郵便、あるいは宅配便にて送付することができるように構成したものに関する。
【背景技術】
【０００２】
手軽に内容物を入れて郵送するために従来から用いられている封筒は、Ａ版やＢ版規格の文書や便箋を半折や三つ折りにして封入できる大きさを基準として、平面的な袋構造を有している。したがって、このような従来の封筒は、立体的な物を入れて郵送するにはあまり適しているとはいえない。
【０００３】
昨今、電子メール等の通信手段が発達し、情報伝達はきわめて迅速かつ簡便に行われるようになってきた。しかしながら、一方で、季節の挨拶とともに、ちょっとした小物を郵便にて手軽に贈りたいという潜在的なニーズが存在すると思われる。そのような場合、従来は、便箋等に季節の挨拶等のメッセージを認め、それを贈りたい小物とともに封筒に入れて郵送するという手段に依らざるをえない。メッセージを折り畳んで小物とともに封筒に入れるという作業は、いささか面倒であるともいえるし、また、平面的な封筒に立体的な小物を入れた状態での外観見栄えは、決して好ましいとはいえない。
【発明の開示】
【発明が解決しようとする課題】
【０００４】
本願発明は、このような事情のもとで考え出されたものであって、軽量な小物をメッセージとともにより手軽に郵便等で送るのに適した箱型容器を提供することをその課題とする。
【課題を解決するための手段】
【０００５】
上記の課題を解決するため、本願発明では、次の技術的手段を採用した。
【０００６】
すなわち、本願発明に係る箱型容器は、正面パネルと、背面パネルと、頂面パネルと、底面パネルと、両側面パネルとを有し、頂面パネルまたは底面パネルにおいて開閉可能とされた、正面視矩形であって所定の厚みを有する箱型容器本体と、正面パネルの一側縁において回動可能に連結され、正面パネル上に重ねられた状態で保持可能なメッセージパネルとを備えることを特徴とする。
【０００７】
このような構成の箱型容器によれば、手書きのメッセージを添えて、ちょっとした小物を手軽に郵便によって贈ることができる。また、この箱型容器は、所定の大きさとするとともに、全体としての重量を所定以下とすることにより、定形郵便料金としての、低額な料金で日本全国に郵送することができる。
【０００８】
好ましい実施の形態においては、上記メッセージパネルの表面側、または、上記背面パネルの表面には、宛て先表記欄が設けられているとともに、上記メッセージパネルの裏面側、および／または、上記正面パネルの表面には、メッセージ欄が設けられている。
【０００９】
このような構成によれば、メッセージパネルの裏面側と正面パネルの表面とを利用した比較的広い範囲にメッセージを記入することができるので、大きな文字でメッセージを書く、あるいは、比較的長い通信文にする、といったことができるようになり、使い勝手が良好となる。
【００１０】
好ましい実施の形態においてはまた、上記メッセージパネルは、上記正面パネルと同形であり、その頂部辺、側部辺および底部辺には、それぞれ、山折り状に連結された糊付け片が形成されており、上記各糊付け片を、それぞれ上記箱型容器本体の上記頂面パネル、一方の側面パネル、および底面パネルに重ねて糊付けすることにより、上記正面パネル上に重ねられた状態で保持されるようになっている。
【００１１】
このような構成によれば、メッセージの記入後において各糊付け片を頂面パネル、一方の側面パネル、および底面パネルに重ねて糊付けすることにより、簡便にメッセージを隠し、郵送可能な状態とすることができる。
【００１２】
好ましい実施の形態においてはさらに、上記メッセージパネルの上記各糊付け片の裏面側には、離型紙で覆われた粘着層が設けられている。
【００１３】
このような構成によれば、各糊付け片と頂面パネル、一方の側面パネル、および底面パネルとの糊付け作業が簡素化され、使い勝手が良好となる。
【００１４】
好ましい実施の形態においては、上記メッセージパネルの上記各糊付け片との境界部には、ミシン目が設けられている。
【００１５】
このような構成によれば、受け取り人は、ミシン目で破って容易にメッセージパネルを開き、簡便にユーザからのメッセージを読むことができる。
【００１６】
好ましい実施の形態においてはまた、上記各糊付け片における、上記ミシン目と上記粘着層との間には、追加のミシン目が設けられている。
【００１７】
このような構成によれば、各糊付け片の両ミシン目で挟まれた部分には粘着層が設けられていないため、受け取り人がメッセージパネルを容易に開ける上で好ましいものとなる。
【００１８】
好ましい実施の形態においてはさらに、上記頂面パネル、底面パネルおよび一方の側面パネルにおける、上記正面パネルとの境界部、および／または、上記背面パネルとの境界部には、ミシン目が設けられている。
【００１９】
このような構成によれば、受け取り人は、ミシン目で箱型容器本体を破って開くことにより、簡便に内容物を確認することができる。
【００２０】
好ましい実施の形態においては、上記箱型容器本体の上記頂面パネル、両側面パネル、および底面パネルの内周面にそれぞれ沿い、かつ上記頂面パネル、両側面パネル、および底面パネルの幅に対応する所定の厚みを有する外枠部を備え、上記箱型容器本体の内部に収容可能な合成樹脂製の内装フレームをさらに備えている。
【００２１】
このような構成によれば、郵送途中において箱型容器本体が変形するといった不具合を適切に防止することができ、内容物を保護する上で好ましいものとなる。
【００２２】
好ましい実施の形態においてはまた、上記内装フレームは、上記外枠部の厚み方向の一端側に偏倚する位置に連結された底板部を有している。
【００２３】
このような構成によれば、内装フレームの全体としての強度を高めることができ、内容物を保護する上でより好適となる。また、内容物を底板部に支持させることが可能となり、箱型容器本体に対する内容物の出し入れを容易に行うことができる。
【００２４】
好ましい実施の形態においてはさらに、上記底板部は、複数の開口部を有するメッシュ状に形成されている。
【００２５】
このような構成によれば、内装フレームの軽量化を図ることができる。
【発明を実施するための最良の形態】
【００２６】
以下、本願発明の好ましい実施の形態につき、図面を参照して具体的に説明する。
【００２７】
図１および図２に示すように、この箱型容器１は、正面視縦長矩形状をした、所定厚みを有する箱型容器本体１０と、この箱型容器本体１０に付属し、箱型容器本体１０に重ねられた状態で保持可能なメッセージパネル２０とを有する。この箱型容器１は、紙あるいは樹脂シート等を用いて作成される。
【００２８】
より詳細には、上記箱型容器本体１０は、縦長矩形状をした正面パネル１１と、これと同形の背面パネル１２と、頂面パネル１３と、底面パネル１４と、両側面パネル１５，１６とを有する直方体形状を有している。正面パネル１１および背面パネル１２の大きさは、たとえば、ハガキ大とされ、この容器の厚みを規定する頂面パネル１３、底面パネル１４、両側面パネル１５，１６の幅は、たとえば１ｃｍ以内とされることにより、この箱型容器１が全体として、内容物の重量によっては定形郵便物としての郵便料金で郵送可能な大きさとされる。
【００２９】
頂面パネル１３および底面パネル１４は、背面パネル１２の頂部縁および底部縁から山折り状に連続させられており、通常の箱の蓋のように、箱の頂部および底部において開閉可能な構造としてある。
【００３０】
メッセージパネル２０は、正面パネル１１と同形であり、正面パネル１１の一方の側縁において回動可能に連結されている。このメッセージパネル２０にはまた、その頂部辺、側部辺および底部辺に、それぞれ、山折り状に連結された糊付け片２１，２２，２３が形成されている。これらの糊付け片２１，２２，２３の裏面側には、好ましくは、糊、あるいは両面粘着テープ等の粘着層３１が設けられ、この粘着層３１は、離型紙３２で覆われる。
【００３１】
この実施形態では、上記メッセージパネル２０の各糊付け片２１，２２，２３との境界部（山折り部）には、ミシン目４０が入れられている。
【００３２】
さらに、この実施形態では、頂面パネル１３、底面パネル１４および一方の側面パネル１６における、正面パネル１１との境界部、あるいは、背面パネル１２との境界部にも、ミシン目５０が入れられている。
【００３３】
図２に表れているように、箱型容器本体１０の背面パネル１２の表面には、切手貼付欄６１、郵便番号記６２入欄を含む、宛て先表記欄６０が形成されている。なお、この宛て先表記欄６０は、メッセージパネル２０の表面側に形成しておいてもよい。
【００３４】
メッセージパネル２０の裏面側および正面パネル１１の表面は、メッセージ記入欄７０として使用される。
【００３５】
次に、上記構成の箱型容器１の使用方法について説明する。
【００３６】
この箱型容器１を入手したユーザは、まず、箱型容器本体１０に、贈りたい物品を入れる。ただし、この箱型容器１を定形郵便の料金で送るためには、たとえば、全体として５０グラム以下となるように留意する。この物品としては、茶や、ハンカチ、ドライフラワー、コーヒー、菓子類などが考えられるが、これに限られない。ユーザーが好みの物品を入れてもよいし、予め、所定の物品を入れた状態でのこの箱型容器１を販売することも考えられる。
【００３７】
次に、メッセージパネル２０の裏面側、あるいは正面パネル１１の表面のメッセージ記入欄７０を利用し、ユーザは手書きのメッセージを記入する。なお、この箱型容器１をダイレクトメールとして利用する場合には、メッセージ記入欄に印刷による通信文を表記してもよい。
【００３８】
そうして、メッセージパネル２０の糊付け片２１，２２，２３の離型紙３２を剥がし、図３および図４に表れているように、このメッセージパネル２０を正面パネル１１に重ね、各糊付け片２１，２２，２３をそれぞれ、頂面パネル１３、一方の側面パネル１６および底面パネル１４に重ねるようにして固定する。これにより、メッセージパネル２０は箱型容器本体１０の正面パネル１１に重ねられた状態で保持され、メッセージ記入欄７０は、隠される。
【００３９】
そうして、宛て名表記欄６０に送付先住所、氏名または名称、郵便番号を書き込み、切手貼付欄６１に郵便切手を貼付して投函する。上記したように、この箱型容器１は、所定の大きさとするとともに、全体としての重量を所定以下とすることにより、定形郵便料金としての、低額な料金で日本全国に郵送することができる。
【００４０】
このように、上記構成の箱型容器１によれば、手書きのメッセージを添えて、ちょっとした小物を手軽に郵便によって贈ることができる。メッセージ記入欄７０は、メッセージパネル２０の裏面側と正面パネル１１の表面とを利用した比較的広いものであるので、大きな文字でメッセージを書く、あるいは、比較的長い通信文にする、といったように、使い勝手がよい。
【００４１】
受け取り人は、ミシン目４０で破って容易にメッセージパネル２０を開き、簡便にユーザからのメッセージを読むことができるし、また、ミシン目５０で箱型容器本体１０を破って開くことにより、簡便に内容物を確認することができる。また、このミシン目５０は、上述したように、箱型容器本体１０の側部周囲における、正面パネル１１との境界部、背面パネル１２との境界部に設けられているので、このミシン目５０で分離することにより、箱型容器本体１０に対して正面パネル１１、あるいは背面パネル１２を扉状に開け拡げることができる。したがって、この正面パネルの内面側、あるいは背面パネルの内面側を、付加的なメッセージ欄として使用することもできる。
【００４２】
図５〜図８は、本願発明に係る箱型容器の他の例を示している。なお、図５以降の図面においては、上記実施形態と同一または類似の要素には、上記実施形態と同一の符号を付しており、適宜説明を省略する。
【００４３】
図５および図６に示された箱型容器１Ａにおいては、各糊付け片２１，２２，２３におけるミシン目４０と粘着層３１との間には、ミシン目４１がさらに設けられている。
【００４４】
本実施形態では、各糊付け片２１，２２，２３の両ミシン目４０，４１で挟まれた部分を引っ張って剥がすことにより、メッセージパネル２０を開くことができる。ここで、各糊付け片２１，２２，２３の両ミシン目４０，４１で挟まれた部分には粘着層３１が設けられていないため、受け取り人がメッセージパネル２０を容易に開ける上で好ましいものとなる。
【００４５】
図７に示された箱型容器１Ｂにおいては、合成樹脂製の内装フレーム８０をさらに備えている。図８に示すように、この内装フレーム８０は、四方を外枠部８３，８４，８５，８６で囲むように連結することにより構成されており、正面視縦長矩形状を呈している。内装フレーム８０の正面視における外形寸法は、頂面パネル１３、両側面パネル１５，１６、および底面パネル１４の内周面で囲まれた寸法よりも僅かに小さい寸法であり、内装フレーム８０（外枠部８３，８４，８５，８６）の厚みは、頂面パネル１３、両側面パネル１５，１６、および底面パネル１４の幅よりも僅かに小さい寸法とされている。したがって、内装フレーム８０は、箱型容器本体１０の内部に収容可能であり、内装フレーム８０を箱型容器本体１０の内部に収容した状態において、内装フレーム８０は、箱型容器本体１０の内周面にフィットする。図８に表れているように、フレームの外枠部８３，８４，８５，８６の厚み方向の一端側に偏倚する位置には、底板部８７が連結されている。底板部８７は、対向する外枠部８３，８４間ないし外枠部８５，８６間を複数の細幅な平板で連結した構成とされており、複数の開口部８８を有するメッシュ状に形成されている。
【００４６】
本実施形態では、内装フレーム８０の内側に物品を入れたまま内装フレーム８０を箱型容器本体１０内に収容する。これにより、郵送途中において箱型容器本体１０が変形するといった不具合を適切に防止することができ、箱型容器本体１０内の物品を保護する上で好ましいものとなる。ここで、内装フレーム８０には底板部８７が設けられているので、内装フレーム８０の全体としての強度を高めることができ、物品を保護する上でより好適である。また、物品を底板部８７に支持させることが可能となり、箱型容器本体１０に対する物品の出し入れを容易に行うことができる。さらに、物品を内装フレーム８０の内側に納めることができるので、見栄えもよくなり好都合である。
【００４７】
本実施形態において、底板部８７には複数の開口部８８が設けられているので、内装フレーム８０の軽量化を図ることができる。したがって、箱型容器１の全体としての重量を所定以下に抑え、箱型容器１を定形郵便物として低額な料金で郵送する上で有利となる。本実施形態では、底板部８７は複数の細幅な平板からなるメッシュ状に形成された形態であるが、本願発明はこれに限定されない。物品を支持可能なものであれば、底板部としては種々の形態をとることができる。
【００４８】
また、本実施形態において、内装フレーム８０の底板部８７上に物品を載せたまま内装フレーム８０および物品をフィルム等で被包しておくと、内装フレーム８０および物品を一体として取り扱うことが可能となり、使い勝手がよくなる。
【００４９】
もちろん、この発明の範囲は上述した実施形態に限定されるものではなく、種々の変形が可能である。たとえば、メッセージパネル２０を、ミシン目によって箱型容器本体１０から切り離し可能としておき、このメッセージパネル２０の裏面側に所定の宛て先を予め記入しておくと、このメッセージパネル２０を返信用はがきとして利用することができる。
【図面の簡単な説明】
【００５０】
【図１】本願発明の一実施形態に係る箱型容器を、メッセージパネルを開いた状態で示す正面斜視図である。
【図２】図１に示す箱型容器を、メッセージパネルを開いた状態で示す背面斜視図である。
【図３】図１に示す箱型容器を、メッセージパネルを箱型容器本体に重ね保持させた状態で示す正面斜視図である。
【図４】図１に示す箱型容器を、メッセージパネルを箱型容器本体に重ね保持させた状態で示す背面斜視図である。
【図５】本願発明に係る箱型容器の他の例を、メッセージパネルを開いた状態で示す正面斜視図である。
【図６】図５に示す箱型容器を、メッセージパネルを箱型容器本体に重ね保持させた状態で示す正面斜視図である。
【図７】本願発明に係る箱型容器の他の例を、箱型容器本体内に内装フレームを入れる途中の状態で示す斜視図である。
【図８】内装フレームを示す斜視図である。
【符号の説明】
【００５１】
１      箱型容器
１Ａ    箱型容器
１Ｂ    箱型容器
１０    箱型容器本体
１１    正面パネル
１２    背面パネル
１３    頂面パネル
１４    底面パネル
１５    側面パネル
１６    側面パネル
２０    メッセージパネル
２１    糊付け片
２２    糊付け片
２３    糊付け片
３１    粘着層
３２    離型紙
４０    ミシン目
４１    ミシン目
５０    ミシン目
６０    宛て先記入欄
７０    メッセージ記入欄
８０    内装フレーム
８３    外枠部
８４    外枠部
８５    外枠部
８６    外枠部
８７    底板部
８８    開口部
【図１】
2006001646.tif 000003
【図２】
2006001646.tif 000004
【図３】
2006001646.tif 000005
【図４】
2006001646.tif 000006
【図５】
2006001646.tif 000007
【図６】
2006001646.tif 000008
【図７】
2006001646.tif 000009
【図８】
2006001646.tif 000010